(57)【要約】      （修正有）【課題】リング収納部のスペースをリングの厚みに応じてリング同士が重なり合わないよう調節でき、リングを１本〜数本取り出す際に容易に摘まみ取り出すことができ、リングの収納も楽にできるリング掛け治具を提供する。【解決手段】上部パネル２と下部パネル３と支柱４と位置決め機構を備えたリング掛け治具であって、支柱と位置決め機構によって支えられた上部パネルと下部パネルの間にリングの収納を可能とした収納部傾斜路Ｓｋを備えた収納部Ｓと収納部に続いてリングの出し入れを可能とした開口部傾斜路Ｅｋを備えた開口部Ｅを設けた。【選択図】図６
0003212196.tif 000002
【実用新案登録請求の範囲】
【請求項１】
上部パネル（２）と下部パネル（３）と支柱（４）と位置決め機構（Ｐ）を備えたリング掛け治具（１）であって、前記位置決め機構（Ｐ）は前記上部パネル（２）と前記下部パネル（３）と前記支柱（４）に設けられた位置決めに必要な機構からなり、前記支柱（４）は前記位置決め機構（Ｐ）を用いて上部パネルの支柱側端面（２ｃ）と下部パネルの支柱側端面（３ｃ）を上部パネルの下端面（２ｂ）と下部パネルの上端面（３ｂ）が向かい合いその間に所定の大きさの離間距離（Ｌ）を設ける形で支えており、前記上部パネルの下端面（２ｂ）と前記下部パネルの上端面（３ｂ）は所定の収納部傾斜角度（α）と所定の収納部長さ（Ｗ４）を備え、収納部傾斜路（Ｓｋ）は前記離間距離（Ｌ）と前記収納部傾斜角度（α）と前記収納部長さ（Ｗ４）によって形成され、リング（Ｒ）を収納する為の収納部（Ｓ）が前記収納部傾斜路（Ｓｋ）によって設けられており、前記収納部（Ｓ）の入口にリング（Ｒ）の出し入れを可能とした開口部（Ｅ）と、前記下部パネル（３）の前後及び下方に所定の大きさのスペースが設けられていることを特徴とするリング掛け治具。
【請求項２】
前記位置決め機構（Ｐ）が、前記上部パネルの支柱側端面（２ｃ）に備えた上部パネルの摺動板（Ｐ２ｐ）と前記下部パネルの支柱側端面（３ｃ）に備えた下部パネルの摺動板（Ｐ３ｐ）と前記支柱（４）に備えた摺動板挿入口（Ｐｉ）と前記支柱（４）の前記上部パネル（２）及び下部パネル（３）に対向した１面に備えた縦方向の摺動溝（Ｐｓ）と前記支柱（４）の内部に備えたバネ（Ｐｂ）による構成であることを特徴とする請求項１に記載のリング掛け治具。
【請求項３】
前記位置決め機構（Ｐ）が、前記上部パネルの支柱側端面（２ｃ）に備えた上部パネルのダボ（Ｐ２ｄ）と前記下部パネルの支柱側端面（３ｃ）に備えた下部パネルのダボ（Ｐ３ｄ）と前記支柱（４）の前記上部パネル（２）及び下部パネル（３）に対向した１面に備えた縦方向の複数のダボ孔（Ｐｈ）による構成であることを特徴とする請求項１に記載のリング掛け治具。
【請求項４】
前記収納部傾斜路（Ｓｋ）に続けて前記収納部傾斜角度（α）よりも大きな傾斜を有する開口部傾斜角度（β）を備えた所定の長さの開口部傾斜路（Ｅｋ）と前記離間距離（Ｌ）よりも大きい開口部間口幅（Ｅｗ）を前記開口部（Ｅ）に設けてリング（Ｒ）の出し入れを容易にしたことを特徴とする請求項１〜３のいずれかに記載のリング掛け治具。
【請求項５】
前記支柱（４）はその底面（４ｂ）に支持台（５）の天面（５ｔ）と脱着可能である連結手段（Ｔ）を備えていることを特徴とする請求項１〜４のいずれかに記載のリング掛け治具。
【考案の詳細な説明】
【技術分野】
【０００１】  本実用新案は、輪ゴム等リング状の物（輪ゴム、ひも、金属等）の使用上の利便を図ったリング掛け治具に関する。
【背景技術】
【０００２】  従来、輪ゴム等リング状の物は箱の中などに纏めて置かれたり、フックなどに纏めて吊るされたりしていたが、中でも輪ゴム使用上の利便を目的として輪ゴムの掛け具類にかかわる先行技術が生まれた（例えば先行技術文献１、２、３参照）。
【先行技術文献】
【特許文献】
【０００３】
【特許文献１】実登３１５６１０４号公報
【特許文献２】特開２０１６−０１９５８１号公報
【特許文献３】実登３１５１５８４号公報
【考案の概要】
【考案が解決しようとする課題】
【０００４】  しかしながら、先行技術文献１、２の輪ゴムの掛け具類は輪ゴムの収納部において輪ゴム同士が重なり合い、取り出す輪ゴムをのみを摘まむことが容易ではなかった、また、先行技術文献３は収納部内では１本ずつに分かれているように見えるものの垂直に重なっており、輪ゴムのサイズ（径）が違った場合取り出し口に位置する最下段の輪ゴムの下端より上部に位置するより大きな径の輪ゴムの下端が下にくる事があり前述に同じく取り出す輪ゴムを摘まむことが容易でない、かつ、輪ゴムを取り出す時に後発（上）の輪ゴムが重力で取り出す輪ゴムに接触したまま取り出し口のほうへ下がり一緒に出てくる、もしくは出口に挟まる恐れがある。
本願考案のリング掛け治具はこれらを解決するために、リングを収納する部分のスペースを収納するリングの厚みに応じてリング同士が重なり合わないよう調節でき、リングを１本〜数本取り出す際に容易に摘まみ取り出すことができる、又、リングの出入口部が広くリングの収納及び取り出しを楽に行えるようにすることを課題とする。
【課題を解決するための手段】
【０００５】  本願考案の１は、上部パネルと下部パネルと支柱と位置決め機構を備えたリング掛け治具であって、前記位置決め機構は前記上部パネルと前記下部パネルと前記支柱に設けられた位置決めに必要な機構からなり、前記支柱は前記位置決め機構を用いて上部パネルの支柱側端面と下部パネルの支柱側端面を上部パネルの下端面と下部パネルの上端面が向かい合いその間に所定の大きさの離間距離を設ける形で支えており、前記上部パネルの下端面と前記下部パネルの上端面は所定の収納部傾斜角度と所定の収納部長さを備え、収納部傾斜路は前記離間距離と前記収納部傾斜角度と前記収納部長さによって形成され、リングを収納する為の収納部が前記収納部傾斜路によって設けられており、前記収納部の入口にリングの出し入れを可能とした開口部と、前記下部パネルの前後及び下方に所定の大きさのスペースが設けられていることを特徴とする。
係る構成によれば、収納部傾斜路の離間距離を収納するリングの厚みに応じてリング同士が重なり合わず取り出しやすい間隔に調節することが可能であり、また、収納部傾斜路に傾斜角度を付けることによりリングを取り出す際に取り出すリングと後続リングとの離れを良くし、リングを収納する際にはリングが滑り込みやすく先に収納したリングとの間に隙間を作らないという効果がある。【０００６】  本願考案の２は、前記位置決め機構が、前記上部パネルの支柱側端面に備えた上部パネルの摺動板と前記下部パネルの支柱側端面に備えた下部パネルの摺動板と前記支柱に備えた摺動板挿入口と前記支柱の前記上部パネル及び下部パネルに対向した１面に備えた縦方向の摺動溝と前記支柱の内部に備えたバネによる構成であることを特徴とする。
係る構成によれば、収納部傾斜路の離間距離を無段階に調節できるという効果がある。【０００７】  本願考案の３は、前記位置決め機構が、前記上部パネルの支柱側端面に備えた上部パネルのダボと前記下部パネルの支柱側端面に備えた下部パネルのダボと前記支柱の前記上部パネル及び下部パネルに対向した１面に備えた縦方向の複数のダボ孔による構成であることを特徴とする。
係る構成によれば、収納部傾斜路の離間距離を複数段階に調節できて位置決め機構を安価に製作できるという効果がある。【０００８】  本願考案の４は、前記収納部傾斜路に続けて前記収納部傾斜角度よりも大きな傾斜を有する開口部傾斜角度を備えた所定の長さの開口部傾斜路と前記離間距離よりも大きい開口部間口幅を前記開口部に設けてリングの出し入れを容易にしたことを特徴とする。
係る構成によれば、収納部からリングを取り出す際に取り出すリングと後続リングとの離れを良くし、開口部からリングを収納する際にはリングを収納部へ向かって落とし込み入れやすくする、また、収納したリングの落下防止にもなり輪ゴム等リング状の物を収納しやすく取り出しやすいという効果がある。【０００９】  本願考案の５は、前記支柱はその底面に支持台の天面と脱着可能である連結手段を備えていることを特徴とする。
係る構成によれば、支持台を利用した使い方と利用しない使い方を選択でき、利用しない場合はフリーで使うことも支柱を躯体や家具や電化製品等の設備に接着テープや面ファスナーやマグネットで固定して使うことも可能という効果がある。
【考案の効果】
【００１０】  これまでに考案されている輪ゴムの掛け具類は、輪ゴムを取り出す際の輪ゴム出入口部における輪ゴムの取り出しに対し利便性が図られていて、輪ゴムを取り出す際に輪ゴム収納部において取り出す輪ゴムを摘まむことが容易ではなかった、本願考案リング掛け治具は、輪ゴムに限らずリングを収納する際は基よりリングを取り出す際のリング１本〜数本の取り出しを容易にしている。【００１１】  本願考案の１によれば、収納部傾斜路の離間距離を収納するリングの厚みに応じてリング同士が重なり合わず取り出しやすい間隔に調節することが可能であり、また、収納部傾斜路に傾斜角度を付けることによりリングを取り出す際に取り出すリングと後続リングとの離れを良くし、リングを収納する際にはリングが滑り込みやすく先に収納したリングとの間に隙間を作らないという効果がある。【００１２】  本願考案の２によれば、収納部傾斜路の離間距離を無段階に調節できるという効果がある。【００１３】  本願考案の３によれば、収納部傾斜路の離間距離を複数段階に調節できて位置決め機構を安価に製作できるという効果がある。【００１４】  本願考案の４によれば、収納部からリングを取り出す際に取り出すリングと後続リングとの離れを良くし、開口部からリングを収納する際にはリングを収納部へ向かって落とし込み入れやすくする、また、収納したリングの落下防止にもなり輪ゴム等リング状の物を収納しやすく取り出しやすいという効果がある。【００１５】  本願考案の５によれば、支持台を利用した使い方と利用しない使い方を選択でき、利用しない場合はフリーで使うことも支柱を躯体や家具や電化製品等の設備に接着テープや面ファスナーやマグネットで固定して使うことも可能という効果がある。
【図面の簡単な説明】
【００１６】
【図１】図１は本願考案のリング掛け治具の斜視図で位置決め機構にバネを用いた例である。
【図２】図２の（ａ）は本願考案のリング掛け治具の、位置決め機構にバネを用いる上部パネルの斜視図である。図２の（ｂ）は本願考案のリング掛け治具の、位置決め機構にバネを用いる下部パネルの斜視図である。
【図３】図３は本願考案のリング掛け治具の、位置決め機構にバネを用いる支柱の斜視図である。
【図４】図４は本願考案のリング掛け治具の、支持台の斜視図である。
【図５】図５は本願考案のリング掛け治具の、位置決め機構のバネの斜視図である。
【図６】図６は本願考案のリング掛け治具の、リングを収納した状態の斜視図で位置決め機構にバネを用いた例である。
【図７】図７は本願考案のリング掛け治具の斜視図で位置決め機構にダボを用いた例である。
【図８】図８の（ａ）は本願考案のリング掛け治具の、位置決め機構にダボを用いる上部パネルの斜視図である。図８の（ｂ）は本願考案のリング掛け治具の、位置決め機構にダボを用いる下部パネルの斜視図である。
【図９】図９は本願考案のリング掛け治具の、位置決め機構にダボを用いる支柱の斜視図である。
【図１０】図１０は本願考案のリング掛け治具の、支持台の斜視図である。
【考案を実施するための形態】
【００１７】  本願考案のリング掛け治具１について、実施するための形態を図１〜図１０に従って詳しく述べる。
【００１８】  本願考案のリング掛け治具１は、先行技術文献の輪ゴム掛け具類に共通した「輪ゴムの収納部において輪ゴム同士が重なり合い取り出す輪ゴムのみを摘まむことが容易ではない」という問題を解決するために、リングＲの収納部Ｓの収納部傾斜路Ｓｋにおいて上部パネルの下端面２ｂと下部パネルの上端面３ｂの離間距離ＬをリングＲの厚みに応じて、また、リングＲ同士が重なり合わないよう調節でき、リングＲを１本〜数本取り出す際に容易に摘まみ取り出せるようにする。さらに、広い開口部Ｅを設けてリングＲの収納および取り出しを楽に行えるようにすることを目的とする。
【００１９】  リング掛け治具１の製作には、上部パネル２と下部パネル３と支柱４と位置決め機構Ｐを用いる。組み立てには前記位置決め機構Ｐを用いて前記上部パネル２の支柱側端面２ｃと前記下部パネル３の支柱側端面３ｃを前記支柱４で支えるよう組み立てる。この時、前記上部パネル２の下端面２ｂと前記下部パネル３の上端面３ｂを向い合わせてその間に所定の大きさの離間距離Ｌを設ける。該離間距離ＬはリングＲの１本分の厚みよりやや広めの距離、即ちリングＲの頂部Ｒｔと上部パネルの下端面２ｂとの隙間Ｉｄを多分に薄めに取りそれをリングＲの厚みに加算した距離に調節するとリングＲ同士が重ならずに好適である。前記隙間ＩｄはリングＲの厚みの７０％〜８０％が好適であるがこの範囲に限定されるものではない。前記離間距離Ｌと収納部傾斜角度αと収納部長さＷ４により形成される収納部傾斜路Ｓｋを備えた収納部Ｓに収納できるリングＲの数は３０本程度が好適である、しかし、この数に限定されるものではない。
【００２０】  前記収納部傾斜路ＳｋにはリングＲの取り出し時に後続リングＲとの離れを良くする目的で、また、リングＲを収納する時に滑りを良くする目的で、収納部出入口部Ｓｅから収納部終端部Ｓｔに向けて下部パネルの下端面３ａに対し緩やかな下り勾配の収納部傾斜角度αをつける。該収納部傾斜角度αは２０°〜３０°が好適であるがこの範囲に限定されるものではない。収納部水平方向幅Ｗ２は収納するリングＲの数により決まり、収納部長さＷ４は前記収納部傾斜角度αと前記収納部水平方向幅Ｗ２により決まる。下部パネルの開放側端面３ｄの高さＨ４は、掛けるリングＲの直径より小さくする。
【００２１】  開口部ＥにはリングＲの出し入れを容易にする目的で開口部傾斜路Ｅｋと前記離間距離Ｌより大きい開口部間口幅Ｅｗを設ける。前記開口部傾斜路Ｅｋには前記収納部傾斜路Ｓｋに向かいリングＲを入れやすくすると同時にリングＲの取り出し時に後続リングＲとの離れをいっそう良くする目的で、また、収納したリングＲの落下防止の目的で、下部パネルの開口部始端部３ｅから下部パネルの収納部始端部３ｆに向けて下部パネルの下端面３ａに対し下り勾配の開口部傾斜角度βをつける。該開口部傾斜角度βは前記収納部傾斜角度αより２０°〜３５°大きい４０°〜６５°が好適であるがこの範囲に限定されるものではない。開口部水平方向幅Ｗ３および下部パネルの収納部始端部３ｆから下部パネルの開口部始端部３ｅまでの高さＨ５はリング掛け治具１が不要に大きくならないように１０ｍｍ〜１５ｍｍ程度が好適であるがこの範囲に限定されるものではない。
【００２２】  上部パネル上端面幅Ｗ１は前記開口部間口幅Ｅｗにより決まり、前記上部パネル上端面幅Ｗ１と前記開口部間口幅Ｅｗを合計した幅は前記収納部水平方向幅Ｗ２と前記開口部水平方向幅Ｗ３を合計した幅と同じ幅が好適である。上部パネルの開放側端面２ｄの高さＨ３は０ｍｍであっても問題ない。上部パネルの支柱側端面２ｃの高さＨ１は前記上部パネル上端面幅Ｗ１と前記上部パネルの開放側端面の高さＨ３と前記収納部傾斜角度αにより決まる。下部パネルの支柱側端面３ｃの高さＨ２は、前記収納部水平方向幅Ｗ２と前記下部パネルの開放側端面の高さＨ４から前記下部パネルの収納部始端部から開口部始端部までの高さＨ５を引いた高さと前記収納部傾斜角度αにより決まる。
【００２３】  前記支柱４には利便性を考慮して支持台５を設けることが可能であり、支柱底面４ｂと支持台天面５ｔは支柱と支持台の連結手段Ｔにて取り付け、取り外しが可能である。前記支柱と支持台の連結手段Ｔは、前記支柱底面４ｂの４隅にダボ孔Ｔｈを設け前記支持台天面５ｔの４隅にダボＴｄを設けてこれらを脱着することで実現している。しかし、前記支柱と支持台の連結手段Ｔは前記支持台のダボＴｄと支柱のダボ孔Ｔｈに限定されるものではなく接着テープやマグネットや面ファスナー等の利用も考えられる。前記支柱と支持台の連結手段Ｔにより支持台５を利用した使い方と利用しない使い方を選択でき、利用しない場合はフリーで使うことも支柱４を躯体や家具や電化製品等の設備に接着テープや面ファスナーやマグネットで固定して使うことも可能である。何れにしても下部パネル３の前後及び下方にはリングＲがフリーになる為の所定の大きさのスペースが必要である。
【００２４】  図６は、位置決め機構ＰにバネＰｂを用い支柱４に支持台５を取り付けてリングＲを収納した状態のリング掛け治具１の斜視図である。
【００２５】  位置決め機構ＰにバネＰｂを用いた場合、前記上部パネルの支柱側端面２ｃに設けた上部パネルの摺動板Ｐ２ｐと前記下部パネルの支柱側端面３ｃに設けた下部パネルの摺動板Ｐ３ｐは同じ幅とし、前記支柱４の天面４ｔに備えた摺動板挿入口Ｐｉの幅は前記上部パネルの摺動板Ｐ２ｐ及び下部パネルの摺動板Ｐ３ｐがスムーズに挿入できる幅とする。尚、前記摺動板挿入口Ｐｉの位置は前記支柱天面４ｔが好適であるがこの位置に限定されるものではない。前記上部パネル２の厚みと前記下部パネル３の厚みは同じ厚みとし、前記支柱４の前記上部パネル２及び下部パネル３に対向した１面に備えた縦方向の摺動溝Ｐｓは前記上部パネル２と下部パネル３が遊びなくしかしスムーズに摺動できる幅とする。前記支柱４の内部に組み込むバネＰｂは前記上部パネルの摺動板Ｐ２ｐと前記下部パネルの摺動板Ｐ３ｐをそのバネ圧により前記支柱４の摺動溝Ｐｓを備えた面に押し付けるが、その圧力は前記上部パネル２及び前記下部パネル３の自重では摺動しないが人の指により多少力を入れれば摺動できる程度の圧力とし、この構成により上部パネルの下端面２ｂと前記下部パネルの上端面３ｂの間に離間距離Ｌを形成し調節する。
【００２６】  位置決め機構Ｐにダボを用いた場合、前記支柱４の前記上部パネル２及び下部パネル３に対向した１面には縦方向にダボ孔Ｐｈを等間隔で複数個設ける、この間隔は１ｍｍ〜２ｍｍが好適であるが限定されるものではない。前記上部パネルの支柱側端面２ｃに上部パネルのダボＰ２ｄを前記下部パネルの支柱側端面３ｃに下部パネルのダボＰ３ｄを設ける、各パネルにダボを複数個設ける場合ダボの間隔は前記支柱４に設けたダボ孔Ｐｈの間隔の倍数になるように設定する。また、前記上部パネルのダボＰ２ｄ及び前記下部パネルのダボＰ３ｄ及び前記支柱４のダボ孔Ｐｈは組み上げた時に遊びがなく強度があり、しかしスムーズに脱着できる仕上げとする。この構成により前記支柱４のダボ孔Ｐｈに上部パネルのダボＰ２ｄと下部パネルのダボＰ３ｄをそれぞれ差し込み前記上部パネルの下端面２ｂと前記下部パネルの上端面３ｂの間に離間距離Ｌを形成し調節する。
【実施例】
【００２７】  以下、本考案のリング掛け治具１の実施例について詳しく述べる。
【実施例１】  実施例１は位置決め機構ＰにバネＰｂを用いた例である。
収納するリングＲは直径３８ｍｍ、厚み１ｍｍの輪ゴムとし収納量は３０本を目安とした。製作材料は４ｍｍ厚合板、５ｍｍ厚合板、直径４ｍｍの丸棒、幅４ｍｍ、長さ６０ｍｍ、奥行８８ｍｍの雪見障子用バネ１本、木工用接着剤である。
次に製作手順について詳しく述べる。
（１）下部パネル３の製作
４ｍｍ厚合板を用い、収納部水平方向幅Ｗ２を３５ｍｍ、開口部水平方向幅Ｗ３を１５ｍｍ、下部パネルの開放側端面３ｄの高さＨ４を３５ｍｍ、収納部終端部Ｓｔから収納部出入口部Ｓｅに向かう収納部傾斜角度αを２０°、下部パネルの収納部始端部３ｆから開口部始端部３ｅに向かう開口部傾斜角度βを４５°として製作、下部パネルの収納部始端部３ｆから開口部始端部３ｅまでの高さＨ５は１５ｍｍ、収納部長さＷ４は３７ｍｍ、下部パネルの支柱側端面３ｃの高さＨ２は８．５ｍｍとなる。
（２）上部パネル２の製作
４ｍｍ厚合板を用い、上部パネル上端面幅Ｗ１を収納部水平方向幅Ｗ２に合わせ３５ｍｍとし開口部間口幅Ｅｗを１５ｍｍに設定、上部パネルの開口側端面２ｄの高さＨ３を１３ｍｍ、収納部傾斜角度αを２０°、収納部長さＷ４を３７ｍｍとして製作、上部パネルの支柱側端面２ｃの高さＨ１は２５ｍｍとなる。
（３）位置決め機構Ｐ用摺動板の製作
４ｍｍ厚合板を用い、上部パネルの摺動板Ｐ２ｐ用に高さ２５ｍｍで幅１４ｍｍを１枚、下部パネルの摺動板Ｐ３ｐ用に高さ８．５ｍｍで幅１４ｍｍを１枚製作した。
（４）パネルと摺動板の組み立て
前記（２）で製作した上部パネル２の支柱側端面２ｃには前記（３）で製作した上部パネルの摺動板Ｐ２ｐを、前記（１）で製作した下部パネル３の支柱側端面３ｃには前記（３）で製作した下部パネルの摺動板Ｐ３ｐを、おのおの木工用接着剤を使い組み立てた。
（５）支柱４の材料切断
５ｍｍ厚合板を用い、支柱４の上部パネル２及び下部パネル３に対向した１面用に高さ５０ｍｍで幅１０ｍｍの板を２枚、その対面用に高さ５０ｍｍで幅２４ｍｍの板を１枚、支柱４の両外側面用に高さ５０ｍｍで幅１０ｍｍの板を２枚、支柱４の両内側面用に高さ５０ｍｍで幅６ｍｍの板を２枚、支柱天面４ｔ用として幅１１ｍｍで奥行２４ｍｍを１枚、支柱底面４ｂ用として幅２０ｍｍで奥行２４ｍｍを１枚製作した。
（６）支柱のダボ孔Ｔｈの加工
支柱と支持台の連結手段Ｔ用として、前記（５）で製作した支柱底面４ｂ用板の四隅に直径４ｍｍの支柱のダボ孔Ｔｈを加工した。
（７）支柱４の組み立て
木工用接着剤を使い、前記（５）と（６）で製作、加工した材料を前記支柱天面４ｔ用の板を除き組み立てて、上部パネル２及び下部パネル３に対向した１面に位置決め機構Ｐ用の摺動溝Ｐｓを備えた支柱４を製作した。
（８）位置決め機構Ｐ用バネＰｂの仕込みと支柱４の製作
前記（７）で製作した支柱４に支柱天面４ｔ側から雪見障子用のバネＰｂを組み込み、前記（５）で製作した支柱天面４ｔ用の板を木工用接着剤で取付けて位置決め機構Ｐ用の摺動板挿入口Ｐｉを作り支柱４を完成させた。
（９）上部パネル２と下部パネル３と支柱４の組み立て
支柱天面４ｔに形成した摺動板挿入口Ｐｉから摺動溝Ｐｓに沿って下部パネルの摺動板Ｐ３ｐと上部パネルの摺動板Ｐ２ｐを順に挿入し、上部パネルの下端面２ｂと前記下部パネルの上端面３ｂの間に１．８ｍｍの離間距離Ｌを形成させた。
（１０）支持台５の製作
５ｍｍ厚の合板を用い、支柱４の摺動溝Ｐｓを備えた面とその対面に対向する支持台５の両側面用に高さ５０ｍｍで幅２４ｍｍの板を２枚、支柱４の両外側面に対向する支持台５の両側面用に高さ５０ｍｍで幅２０ｍｍの板を２枚、支柱底面４ｂに対向する支持台天面５ｔ用に幅２０ｍｍで奥行２４ｍｍを１枚、支持台の底面用に幅７０ｍｍで奥行５０ｍｍを１枚製作し、これらを木工用接着剤で接着して支持台５を製作した。
（１１）支持台のダボＴｄの製作
丸棒を長さ７ｍｍにカットしたものを４本作り、それを前記（１０）で製作した支持台天面５ｔの支柱のダボ孔Ｔｈに対向する位置に取付け支柱と支持台の連結手段Ｔを完成させた。
【実施例２】  実施例２は位置決め機構Ｐにダボを用いた例である。
収納するリングＲは直径３８ｍｍ、厚み１ｍｍの輪ゴムとし収納量は３０本を目安とした。製作材料は４ｍｍ厚合板、５ｍｍ厚合板、直径４ｍｍの丸棒、木工用接着剤である。
次に製作手順について詳しく述べる。
（１）下部パネル３の製作
（実施例１）に同じ。
（２）上部パネル２の製作
（実施例１）に同じ。
（３）位置決め機構Ｐ用ダボの製作
丸棒を長さ７ｍｍにカットしたものを４本作り、それを上部パネルのダボＰ２ｄ用２本と下部パネルのダボＰ３ｄ用２本として用いる。
（４）ダボの取付け
前記（３）で製作したダボを、前記（２）で製作した上部パネル２の支柱側端面２ｃにダボを間隔を１８ｍｍとして２本、前記（１）で製作した下部パネル３の支柱側端面３ｃにダボを間隔を６ｍｍとして２本、おのおの取付けた。
（５）支柱４用の材料切断
５ｍｍ厚合板を用い、支柱４の上部パネル２及び下部パネル３に対向する１面用とその対面用として高さ５０ｍｍで幅２０ｍｍの板を各１枚、支柱４の両側面用として高さ５０ｍｍで幅１０ｍｍの板を２枚、支柱天面４ｔ用及び支柱底面４ｂ用として幅２０ｍｍで奥行２０ｍｍを各１枚製作した。
（６）位置決め機構Ｐ用のダボ孔Ｐｈの加工
前記（５）で製作した支柱４の上部パネル２及び下部パネル３に対向する１面用の板の幅２０ｍｍの中央に縦方向に６ｍｍ間隔で直径４ｍｍの孔を７個空けてダボ孔Ｐｈを加工した。
（７）支柱のダボ孔Ｔｈの加工
支柱と支持台の連結手段Ｔ用として、前記（５）で製作した支柱底面４ｂ用板の四隅に直径４ｍｍの支柱のダボ孔Ｔｈを加工した。
（８）支柱４の製作
木工用接着剤を使い、前記（５）と（６）と（７）で製作、加工した材料を組み立てて支柱４を製作した。
（９）上部パネル２と下部パネル３と支柱４の組み立て
支柱４のダボ孔Ｐｈに上部パネルのダボＰ２ｄと下部パネルのダボＰ３ｄを２ｍｍの離間距離Ｌを設けて差し込み組み立てた。
（１０）支持台５の製作
５ｍｍ厚の合板を用い、高さ５０ｍｍで幅２０ｍｍの板を２枚、高さ５０ｍｍで幅１０ｍｍの板を２枚、支柱底面４ｂに対向する支持台天面５ｔ用に幅２０ｍｍで奥行２０ｍｍを１枚、支持台の底面用に幅７０ｍｍで奥行５０ｍｍを１枚製作し、これらを木工用接着剤で接着して支持台５を製作した。
（１１）支持台のダボＴｄの製作
（実施例１）に同じ。
【産業上の利用可能性】
【００２８】  家庭の台所はもとより、プライベートルームや教育の場、各種イベントホームセンター、スーパーマーケット等、利用できるところは各分野、多岐に渡るので産業上の利用可能性は大きい。
【符号の説明】
【００２９】１      リング掛け治具
２      上部パネル
２ａ    上部パネルの上端面
２ｂ    上部パネルの下端面
２ｃ    上部パネルの支柱側端面
２ｄ    上部パネルの開放側端面
３      下部パネル
３ａ    下部パネルの下端面
３ｂ    下部パネルの上端面
３ｃ    下部パネルの支柱側端面
３ｄ    下部パネルの開放側端面
３ｅ    下部パネルの開口部始端部
３ｆ    下部パネルの収納部始端部
Ｅ      開口部
Ｅｋ    開口部傾斜路
Ｅｗ    開口部間口幅
Ｓ      収納部
Ｓｋ    収納部傾斜路
Ｓｅ    収納部出入口部
Ｓｔ    収納部終端部
Ｌ      離間距離
Ｉｄ    リングの頂部と上部パネルの下端面の隙間
α      収納部傾斜角度
β      開口部傾斜角度
Ｈ１    上部パネルの支柱側端面の高さ
Ｈ２    下部パネルの支柱側端面の高さ
Ｈ３    上部パネルの開放側端面の高さ
Ｈ４    下部パネルの開放側端面の高さ
Ｈ５    下部パネルの収納部始端部から開口部始端部まで高さ
Ｗ１    上部パネル上端面幅
Ｗ２    収納部水平方向幅
Ｗ３    開口部水平方向幅
Ｗ４    収納部長さ
４      支柱
４ｔ    支柱天面
４ｂ    支柱底面
Ｐ      位置決め機構
Ｐｂ    バネ
Ｐｉ    摺動板挿入口
Ｐｓ    摺動溝
Ｐ２ｐ  上部パネルの摺動板
Ｐ３ｐ  下部パネルの摺動板
Ｐｈ    ダボ孔
Ｐ２ｄ  上部パネルのダボ
Ｐ３ｄ  下部パネルのダボ
５      支持台
５ｔ    支持台天面
Ｔ      支柱と支持台の連結手段
Ｔｄ    支持台のダボ
Ｔｈ    支柱のダボ孔
Ｒ      リング
Ｒｔ    リングの頂部
【図１】
0003212196.tif 000003
【図２】
0003212196.tif 000004
【図３】
0003212196.tif 000005
【図４】
0003212196.tif 000006
【図５】
0003212196.tif 000007
【図６】
0003212196.tif 000008
【図７】
0003212196.tif 000009
【図８】
0003212196.tif 000010
【図９】
0003212196.tif 000011
【図１０】
0003212196.tif 000012